(57)【要約】【課題】本発明は、向上した専用チャンネル（Ｅ−ＤＣＨ）データサービスを支援する移動通信システムにおける専用物理チャンネルの利得因子を設定するシステム及び方法を提供する。【解決手段】第１実施形態によると、Ｅ−ＤＣＨが既存の専用チャンネル（ＤＣＨ）なしに設定される場合に、ＤＣＨに関連した専用物理制御チャンネル（ＤＰＣＣＨ）の利得因子を所定の定数に設定し、ＤＰＣＣＨの利得因子を使用して、Ｅ−ＤＣＨに関連した専用物理チャンネルに対する利得因子を計算する。第２実施形態によると、Ｅ−ＤＣＨが既存の専用チャンネル（ＤＣＨ）なしに設定される場合に、ＲＮＣは、既存の専用チャンネル（ＤＣＨ）なしに、向上した専用チャンネル（Ｅ−ＤＣＨ）を設定する場合に、仮想ＤＣＨに関連した専用物理制御チャンネル（ＤＰＣＣＨ）の利得因子を所定の定数に設定し、利得因子を含むチャンネル構成情報をＵＥへ送信する。【選択図】図５
2006217630.tif 000002
【特許請求の範囲】
【請求項１】
移動通信システムにおける専用物理チャンネルの利得因子を設定する方法であって、
専用物理チャンネルを設定するためのチャンネル構成情報に従って、既存の専用チャンネル（ＤＣＨ）がマッピングされる専用物理データチャンネル（ＤＰＤＣＨ）が構成されるか否かを判断するステップと、
前記ＤＰＤＣＨが構成される場合に、前記チャンネル構成情報を用いて、前記ＤＰＤＣＨに関連した専用物理制御チャンネル（ＤＰＣＣＨ）の送信電力を示す利得因子を決定するステップと、
前記ＤＰＤＣＨが構成されない場合に、前記ＤＰＣＣＨの送信電力を示す利得因子を所定の定数に設定するステップと、
前記ＤＰＣＣＨの利得因子を用いて、前記チャンネル構成情報によって指示された少なくとも１つの専用物理チャンネルの送信電力を示す利得因子を計算するステップと
を具備することを特徴とする方法。
【請求項２】
前記所定の定数は、
‘１'の値を有することを特徴とする請求項１記載の方法。
【請求項３】
前記計算するステップは、
向上した上りリンク専用チャンネル（Ｅ−ＤＣＨ）がマッピングされる向上した上りリンク専用物理データチャンネル（Ｅ−ＤＰＤＣＨ）及び前記Ｅ−ＤＰＤＣＨに関連した向上した専用物理制御チャンネル（Ｅ−ＤＰＣＣＨ）のオフセット値を前記チャンネル構成情報から獲得して、前記Ｅ−ＤＰＤＣＨ及び前記Ｅ−ＤＰＣＣＨの利得因子を次のような式を使用して計算することを特徴とする請求項１記載の方法。
【数１】
2006217630.tif 000005
ここで、βｃは、前記ＤＰＣＣＨの利得因子を示し、βｅｄは、前記Ｅ−ＤＰＤＣＨの利得因子を示し、前記ΔＥ−ＤＰＤＣＨは、前記Ｅ−ＤＰＤＣＨのオフセット値を示し、βｅｃは、前記Ｅ−ＤＰＣＣＨの利得因子を示し、前記ΔＥ−ＤＰＣＣＨは、前記Ｅ−ＤＰＣＣＨのオフセット値を示す。
【請求項４】
前記計算するステップは、
高速下りリンクパケットアクセス（ＨＳＤＰＡ）サービスに関連した制御情報を運搬する高速専用物理制御チャンネル（ＨＳ−ＤＰＣＣＨ）のオフセット値を前記チャンネル構成情報から獲得して、前記ＨＳ−ＤＰＤＣＨの利得因子を次のような式を使用して計算することを特徴とする請求項１記載の方法。
【数２】
2006217630.tif 000006
ここで、βｃは、前記ＤＰＣＣＨの利得因子を示し、βｈｓは、前記ＨＳ−ＤＰＣＣＨの利得因子を示し、前記ΔＨＳ−ＤＰＣＣＨは、前記ＨＳ−ＤＰＤＣＨのオフセット値を示す。
【請求項５】
移動通信システムにおける専用物理チャンネルの利得因子を設定する装置であって、
専用物理チャンネルを設定するためのチャンネル構成情報を受信する受信部と、
前記チャンネル構成情報に従って、既存の専用チャンネル（ＤＣＨ）がマッピングされる専用物理データチャンネル（ＤＰＤＣＨ）が構成されるか否かを判断し、前記ＤＰＤＣＨが構成される場合に、前記チャンネル構成情報を用いて、前記ＤＰＤＣＨに関連した専用物理制御チャンネル（ＤＰＣＣＨ）の送信電力を示す利得因子を決定し、前記ＤＰＤＣＨが構成されない場合に、前記ＤＰＣＣＨの送信電力を示す利得因子を所定の定数に設定し、前記ＤＰＣＣＨの利得因子を用いて、前記チャンネル構成情報によって指示された少なくとも１つの専用物理チャンネルの送信電力を示す利得因子を計算する送信制御部と、
前記計算された利得因子に相当する送信電力で、前記少なくとも１つの専用物理チャンネルに関する該当情報を送信する送信部と
を具備することを特徴とする装置。
【請求項６】
前記所定の定数は、
‘１'の値を有することを特徴とする請求項５記載の装置。
【請求項７】
前記送信制御部は、
向上した上りリンク専用チャンネル（Ｅ−ＤＣＨ）がマッピングされる向上した専用物理データチャンネル（Ｅ−ＤＰＤＣＨ）及び前記Ｅ−ＤＰＤＣＨに関連した向上した専用物理制御チャンネル（Ｅ−ＤＰＣＣＨ）のオフセット値を前記チャンネル構成情報から獲得して、前記Ｅ−ＤＰＤＣＨ及び前記Ｅ−ＤＰＣＣＨの利得因子を次のような式を使用して計算することを特徴とする請求項５記載の装置。
【数３】
2006217630.tif 000007
ここで、βｃは、前記ＤＰＣＣＨの利得因子を示し、βｅｄは、前記Ｅ−ＤＰＤＣＨの利得因子を示し、前記ΔＥ−ＤＰＤＣＨは、前記Ｅ−ＤＰＤＣＨのオフセット値を示し、βｅｃは、前記Ｅ−ＤＰＣＣＨの利得因子を示し、前記ΔＥ−ＤＰＣＣＨは、前記Ｅ−ＤＰＣＣＨのオフセット値を示す。
【請求項８】
前記送信制御部は、
高速下りリンクパケットアクセス（ＨＳＤＰＡ）サービスに関連した制御情報を運搬する高速専用物理制御チャンネル（ＨＳ−ＤＰＣＣＨ）のオフセット値を前記チャンネル構成情報から獲得して、前記ＨＳ−ＤＰＤＣＨの利得因子を次のような式を使用して計算することを特徴とする請求項５記載の装置。
【数４】
2006217630.tif 000008
ここで、βｃは、前記ＤＰＣＣＨの利得因子を示し、βｈｓは、前記ＨＳ−ＤＰＣＣＨの利得因子を示し、前記ΔＨＳ−ＤＰＣＣＨは、前記ＨＳ−ＤＰＤＣＨのオフセット値を示す。
【請求項９】
前記送信部は、
前記ＤＰＤＣＨが構成される場合に、前記ＤＰＤＣＨを介して送信されるためのＤＰＤＣＨデータを生成するＤＰＤＣＨ生成器と、
前記ＤＰＤＣＨデータを前記ＤＰＤＣＨ拡散コードで拡散する第１の拡散器と、
前記拡散したＤＰＤＣＨデータに前記ＤＰＣＣＨの利得因子を用いて計算された前記ＤＰＤＣＨの利得因子を乗じる第１の乗算器と、
前記ＤＰＤＣＨが構成される場合に、前記ＤＰＤＣＨに関連した制御情報を含むＤＰＣＣＨ情報を生成するＤＰＤＣＨ生成器と、
前記ＤＰＣＣＨ情報を前記ＤＰＣＣＨ拡散コードで拡散する第２の拡散器と、
前記拡散したＤＰＣＣＨ情報に前記ＤＰＣＣＨの利得因子を乗じる第２の乗算器と、
前記チャンネル構成情報によって指示された少なくとも１つの専用物理チャンネルを介して送信されるためのチャンネルデータを生成する少なくとも１つのチャンネル生成器と、
前記チャンネルデータを前記少なくとも１つの専用物理チャンネルの拡散コードで拡散する少なくとも１つの第３の拡散器と、
前記拡散したチャンネルデータに前記計算された利得因子を乗じる少なくとも１つの第３の乗算器と、
前記第１、第２、及び第３の乗算器の出力を多重化するマルチプレクサーと、
前記マルチプレクサーの出力をスクランブリングするスクランブラーと
を具備することを特徴とする請求項５記載の装置。
【請求項１０】
移動通信システムにおける専用物理チャンネルの利得因子を設定する方法であって、
上りリンク専用物理チャンネルを構成するために、送信電力を設定する少なくとも１つの基準となる第１の専用物理チャンネルが構成されるか否かを判断するステップと、
前記第１の専用物理チャンネルが構成される場合に、前記第１の専用物理チャンネルに対する変数を決定し、前記決定された変数に該当する利得因子を設定するステップと、
前記第１の専用物理チャンネルが構成されない場合に、前記第１の専用物理チャンネルが送信されないことを示す変数を決定し、前記第１の専用物理チャンネルに対する利得因子を所定の定数に設定するステップと、
前記第１の専用物理チャンネルではない少なくとも１つの第２の専用物理チャンネルに対する変数を設定するステップと、
前記第１及び第２の専用物理チャンネルに対する変数を含むチャンネル構成情報を前記第１及び第２の専用物理チャンネルに関連した端末機及び基地局へ送信するステップと
を具備することを特徴とする方法。
【請求項１１】
前記所定の定数は、
‘１'の値を有することを特徴とする請求項１０記載の方法。
【請求項１２】
前記第１の専用物理チャンネルは、
既存の専用チャンネル（ＤＣＨ）がマッピングされる専用物理データチャンネル（ＤＰＤＣＨ）に関する制御情報を運搬する専用物理制御チャンネル（ＤＰＣＣＨ）を具備することを特徴とする請求項１０記載の方法。
【請求項１３】
前記少なくとも１つの第２の専用物理チャンネルは、
向上した上りリンク専用チャンネル（Ｅ−ＤＣＨ）がマッピングされる向上した専用物理データチャンネル（Ｅ−ＤＰＤＣＨ）と、
前記Ｅ−ＤＰＤＣＨに関する制御情報を運搬する向上した専用物理制御チャンネル（Ｅ−ＤＰＣＣＨ）と、
高速下りリンクパケットアクセス（ＨＳＤＰＡ）サービスに関する制御情報を運搬する高速専用物理制御チャンネル（ＨＳ−ＤＰＣＣＨ）のうちの少なくとも１つを具備することを特徴とする請求項１２記載の方法。
【請求項１４】
前記第１の専用物理チャンネルに対する変数は、
前記第１の専用物理チャンネルが構成されない場合に、巡回冗長検査（ＣＲＣ）を含まないことを示す情報及び０に設定された送信ブロックサイズを含むことを特徴とする請求項１０記載の方法。
【請求項１５】
前記第１の専用物理チャンネルに対する変数は、
前記第１の専用物理チャンネルが構成されない場合に、拡散係数（ＳＦ）が必要しないことを示す情報及び０に設定された符号の個数を含むことを特徴とする請求項１０記載の方法。
【発明の詳細な説明】
【技術分野】
【０００１】
本発明は、非同期広帯域符号分割多重接続（Wideband Code Division Multiple Access；以下、“ＷＣＤＭＡ”と称する。）通信に関し、特に、逆方向パケットの送信のための電力変数を示す利得因子（Gain Factor）を設定する方法及び装置に関する。
【０００２】
本発明は、広帯域符号分割多元接続（Wideband Code Division Multiple Access；以下、ＷＣＤＭＡと称する。）通信に関し、特に、ソフトハンドオーバー領域に位置した端末機が上りリンクパケット送信のための向上した上りリンク専用チャンネルをサービスする場合に、上記向上した上りリンク専用チャンネルを効率的にスケジューリングするための方法及び装置に関する。
【背景技術】
【０００３】
ヨーロッパ型移動通信システムである移動体通信用グローバルシステム（Global System for Mobile Communications；ＧＳＭ）に基づき、広帯域符号分割多元接続（Wideband Code Division Multiple Access；以下、ＷＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに無関係に、パケットに基づくテキスト、デジタル化された音声又はビデオ、及びマルチメディアデータを２Ｍｂｐｓ以上の高速で送信することができる一貫したサービスを提供する。ＵＭＴＳは、インタネットプロトコル（Internet Protocol；ＩＰ）のようなパケットプロトコルを使用する“パケット交換方式の接続”と呼ばれる仮想接続の概念を使用し、ネットワーク内の他のどの終端でも常に接続することができる。
【０００４】
図１は、従来のＵＭＴＳシステムの無線接続ネットワーク（UMTS Terrestrial Radio Access Network；以下、ＵＴＲＡＮと称する）の構成を示す図である。
【０００５】
図１を参照すると、ＵＴＲＡＮ１２は、無線網制御器（Radio Network Controller；以下、ＲＮＣと称する）１６ａ及び１６ｂと基地局（Ｎｏｄｅ Ｂ）１８ａ、１８ｂ、１８ｃ、及び１８ｄとを含み、端末機（User Equipment；以下、ＵＥと称する）２０を基幹網（Core Network）１０に接続する。基地局１８ａ、１８ｂ、１８ｃ、及び１８ｄの下位には、複数のセルが存在することができ、各ＲＮＣ１６ａ及び１６ｂは、該当下位の基地局１８ａ、１８ｂ、１８ｃ、及び１８ｄを制御する。例えば、図１において、ＲＮＣ１６ａは、基地局１８ａ及び１８ｂを制御し、ＲＮＣ１６ｂは、基地局１８ｃ及び１８ｄを制御する。基地局１８ａ、１８ｂ、１８ｃ、及び１８ｄのそれぞれは、該当する下位のセルを制御する。 一つのＲＮＣとこのＲＮＣによって制御される基地局とセルを合わせて、無線網サブシステム（Radio Network Subsystem；以下、ＲＮＳと称する）１４ａ及び１４ｂとする。 
【０００６】
ＲＮＣ１６ａ，１６ｂは、自分が制御する基地局１８ａ〜１８ｄの無線資源を割り当てるか、又は管理し、基地局１８ａ〜１８ｄは無線資源を提供する。無線資源は、セル別に構成され、基地局１８ａ〜１８ｄによって提供される無線資源は、自身が管理するセルの無線資源を意味する。ＵＥ２０は、特定の基地局の特定のセルが提供する無線資源を利用して無線チャンネルを構成し、このチャンネルを使用して通信を遂行することができる。ＵＥ２０は、基地局１８ａ〜１８ｄと該当するセルとの間の区別は無意味で、セル別に構成されるＰＨＹ階層のみを認識するため、以下、“基地局”及び“セル”は、同一の意味で使用される。
【０００７】
ＵＥ２０とＲＮＣとの間のインターフェースは、Ｕｕインターフェースと称され、その詳細な階層的な構成を図２に示す。
【０００８】
図２は、ＵＥと無線網制御器（ＲＮＣ）との間のインターフェースを示す階層的な構成を示す図である。Ｕｕインターフェースは、ＵＥ２０とＲＮＣとの間で制御信号を交換するために使用される制御プレーン（Control Plane）３０と実際のデータを送信するために使用されるユーザプレーン（User Plane）３２とに区分される。
【０００９】
図２を参照すると、制御プレーン（Ｃ-plane）信号３０は、ＲＲＣ（Radio Resource Control）階層３４、ＲＬＣ（Radio Link Control）階層４０、ＭＡＣ（Media Access Control）階層４２、及び物理（Physical；以下、ＰＨＹと称する）階層４４を通して処理され、ユーザプレーン（U-plane）情報３２は、ＰＤＣＰ（Packet Data Control Protocol）階層３６、ＢＭＣ（Broadcast／Multicast Control）階層３８、ＲＬＣ階層４０、ＭＡＣ階層４２、及びＰＨＹ階層４４を通して処理される。ここに示した階層中、ＰＨＹ階層４４は、各セルに位置し、ＭＡＣ階層４２からＲＲＣ階層３４までは各ＲＮＣに位置する。
【００１０】
ＰＨＹ階層４４は、無線送信（Radio Transfer）技術を用いた情報送信サービスを提供し、ＯＳＩ（Opening Systems Interconnection）モデルの第１の階層に該当する。ＰＨＹ階層４４とＭＡＣ階層４２との間は、送信チャンネル（Transport Channels）を介して接続され、送信チャンネルは、特定のデータがＰＨＹ階層４４で処理される方式に従って定義される。
【００１１】
ＭＡＣ階層４２は、論理チャンネルを介してＲＬＣ階層４０に接続される。ＭＡＣ階層４２は、論理チャンネルを介してＲＬＣ階層４０から受信されたデータを適切な送信チャンネルを介してＰＨＹ階層４４へ送信し、ＰＨＹ階層４４から送信チャンネルを介して受信されたデータを適切な論理チャンネルを介してＲＬＣ階層４０へ送信する。また、ＭＡＣ階層４２は、論理チャンネル又は送信チャンネルを介して受信されたデータに付加情報を挿入するか、又は、データに挿入された付加情報を解析し、上記解析された付加情報に従って適切な動作を遂行する。また、ＭＡＣ階層４２は、ランダムアクセス動作を制御する。このようなＭＡＣ階層４２で、ユーザプレーン３２に関連した部分は、ＭＡＣ−ｄと称され、制御プレーン３０に関連した部分は、ＭＡＣ−ｃと称される。
【００１２】
ＲＬＣ階層４０は、論理チャンネルの設定及び解除を担当する。ＲＬＣ階層４０は、ＡＭ（Acknowledged Mode）、ＵＭ（Unacknowledged Mode）、及びＴＭ（Transparent Mode）という３種類の動作モードのうちの１つで動作することができ、動作モードごとに相互に異なる機能を提供する。一般に、ＲＬＣ階層４０は、上位階層から提供されたサービスデータユニット（Service Data Unit；以下、ＳＤＵと称する）を適切な大きさに分割するか、又は、組み立てる機能及び誤り訂正機能を遂行する。
【００１３】
ＰＤＣＰ階層３６は、ユーザプレーン３２でＲＬＣ階層４０の上位階層に位置し、ＩＰパケットの形態で送信されたデータのヘッダーを圧縮して復元する機能及び特定のＵＥに移動性サービスを提供するＲＮＣが変更される状況でデータの無損失送信機能を有する。
【００１４】
ＰＨＹ階層４４と上位階層との間を接続する送信チャンネルの特性は、畳込みチャンネル符号化（convolutional channel encoding）、インターリービング（Interleaving）、及びサービス固有送信率整合（service-specific rate matching）のような物理階層処理過程を規定している送信形式（Transport Format；ＴＦ）によって決定される。
【００１５】
特に、ＵＭＴＳシステムでは、ＵＥから基地局への上りリンク（Uplink；ＵＬ）通信において、パケット送信の性能を向上させることができるように、向上した上りリンク専用チャンネル（Enhanced Uplink Dedicated Channel；以下、Ｅ−ＤＣＨと称する）を使用する。さらに安定した高速のデータ送信を支援するために、Ｅ−ＤＣＨは、複合自動再送信要求（Hybrid Automatic Retransmission Request；ＨＡＲＱ）及び基地局制御スケジューリングの技術を支援する。
【００１６】
図３は、従来の無線リンクでＥ−ＤＣＨを介して上りリンクパケットデータの送信を示す図である。
【００１７】
図３を参照すると、参照番号１００は、Ｅ−ＤＣＨを支援する基地局（Ｎｏｄｅ Ｂ）を示し、参照番号１０１、１０２、１０３、及び１０４は、Ｅ−ＤＣＨを送信するＵＥを示す。基地局１００は、Ｅ−ＤＣＨを使用するＵＥ１０１乃至１０４の状況を把握して各ＵＥのデータ送信率をスケジューリングする。システム全体の性能を高めるために、スケジューリングは、基地局の測定ＲｏＴ（Rise-over Thermal）値が目標ＲｏＴ値を超えないようにしながら、基地局から遠く離れたＵＥには、低いデータ送信率を割り当て、基地局から近く位置したＵＥには、高いデータ送信率を割り当てる方式にて遂行される。
【００１８】
図４は、Ｅ−ＤＣＨを介してメッセージを送受信する従来の信号フローを示す図である。
【００１９】
図４を参照すると、ステップ２０２で、基地局及びＵＥは、それらの間にＥ−ＤＣＨを設定する。Ｅ−ＤＣＨ設定ステップ２０２は、専用送信チャンネル（dedicated transport channel）を介してメッセージを送信するステップを含む。Ｅ−ＤＣＨの設定後に、ステップ２０４で、ＵＥは、基地局にスケジューリング情報を提供する。上記スケジューリング情報は、上りリンクチャンネル情報を示すＵＥの送信電力情報、ＵＥが送信することができる余分の電力に関する情報、及びＵＥのバッファに貯蔵されている送信データの量を含むことができる。
【００２０】
ステップ２０６で、基地局２００は、各ＵＥの上りリンクデータの送信をスケジューリングするために、上記複数のＵＥから受信されたスケジューリング情報をモニタリングする。具体的に、ステップ２０８で、基地局２００は、ＵＥ２０１に上りリンクパケットの送信を許容することに決定し、ＵＥ２０１にスケジューリング割当て（Scheduling Assignment）情報を送信する。上記スケジューリング割当て情報は、許容されたデータ送信率及び許容された送信タイミングを含む。
【００２１】
ステップ２１０で、ＵＥ２０１は、上記スケジューリング割当て情報に基づいて上記Ｅ−ＤＣＨの送信形式（Transport format；ＴＦ）を決定する。ＵＥ２０１は、ステップ２１４で、Ｅ−ＤＣＨを介して上りリンク（ＵＬ）パケットデータを送信すると同時に、ステップ２１２で、上記ＴＦ情報、すなわち、ＴＦＲＩ（Transport Format Resource Indicator）を基地局２００へ送信する。ステップ２１６で、基地局２００は、上記ＴＦＲＩ及び上記上りリンクパケットデータにエラーがあるかどうかを判断する。ステップ２１８で、基地局２００は、上記判断の結果、いずれか１つでもエラーが発生した場合、ＡＣＫ／ＮＡＣＫチャンネルを介してＵＥ２０１へ否定応答（Non-Acknowledge；ＮＡＣＫ）信号を送信する。しかしながら、上記ＴＦＲＩ及び上記上りリンクパケットデータのすべてにエラーがない場合には、肯定応答（Acknowledge；ＡＣＫ）信号をＡＣＫ／ＮＡＣＫチャンネルを介してＵＥ２０１へ送信する。
【００２２】
ＡＣＫ信号が送信される場合に、該当パケットデータの送信が完了され、従って、ＵＥ２０１は、新たなパケットデータをＥ−ＤＣＨを介して送信する。しかしながら、ＮＡＣＫ信号が送信される場合に、ＵＥ２０１は、同一のパケットデータをＥ−ＤＣＨを介して基地局２００へ再送信する。
【００２３】
上述したように動作するＥ−ＤＣＨは、既存の（legacy）ＤＣＨとは異なって、さらに安定した高速のデータ送信を支援するために、適応変調及び符号化（Adaptive Modulation and Coding；ＡＭＣ）、複合自動再送信要求（Hybrid Automatic Retransmission Request；ＨＡＲＱ）、基地局制御スケジューリング、及び短いＴＴＩ（Shorter Transmission Time Interval）などの技術を支援する。
【００２４】
上りリンク専用物理チャンネルは、既存のＤＣＨがマッピングされる専用物理データチャンネル（Dedicated Physical Data Channel；以下、ＤＰＤＣＨと称する）と、上記ＤＰＤＣＨに関連した制御情報を運搬する専用物理制御チャンネル（Dedicated Physical Control Channel；ＤＰＣＣＨ）と、高速下りリンクパケットアクセス（High Speed Downlink Packet Access；ＨＳＤＰＡ）に関連した上りリンク制御情報を運搬する高速専用物理制御チャンネル（High speed ＤＰＣＣＨ；以下、ＨＳ−ＤＰＣＣＨと称する）と、Ｅ−ＤＣＨがマッピングされる向上した専用物理データチャンネル（Enhanced ＤＰＤＣＨ；以下、Ｅ−ＤＰＤＣＨと称する）と、Ｅ−ＤＰＤＣＨに関連した制御情報を運搬する向上した専用物理制御チャンネル（Enhanced ＤＰＣＣＨ；以下、Ｅ−ＤＰＣＣＨと称する）とを含む。
【００２５】
従来技術によるＥ−ＤＰＤＣＨの電力を設定する方法では、ＤＣＨがマッピングされるＤＰＤＣＨに関連したＤＰＣＣＨの送信電力に従って、Ｅ−ＤＣＨがマッピングされるＥ−ＤＰＤＣＨの送信電力を相対的に設定する。すなわち、ＤＰＣＣＨは、すべての上りリンク専用物理チャンネルの送信電力を設定する基準となる。しかしながら、Ｅ−ＤＣＨを使用するためには、Ｅ−ＤＣＨを既存のＤＣＨと共に設定して送信する方法、または、Ｅ−ＤＣＨをＤＣＨなしに独立して送信する方法が使用されることができる。上記後者の方法を独立Ｅ−ＤＣＨ（Stand−alone Ｅ−ＤＣＨ）と称する。独立Ｅ−ＤＣＨが使用される場合には、ＤＣＨが使用されないので、物理階層では、ＤＣＨがマッピングされるＤＰＤＣＨが存在しない。
【００２６】
従って、上述したように、ＤＣＨなしに、独立Ｅ−ＤＣＨを使用する場合には、Ｅ−ＤＣＨの送信電力を設定するための技術を必要とする。
【発明の開示】
【発明が解決しようとする課題】
【００２７】
上記背景に鑑みて、本発明の目的は、非同期ＷＣＤＭＡ通信システムにおいて、向上した上りリンク専用物理チャンネルの送信電力を設定するための方法及び装置を提供することにある。
【００２８】
本発明の目的は、ＤＣＨが設定されない場合にも、ＵＥで向上した上りリンク専用物理チャンネルの送信電力を設定することができるようにするための方法及び装置を提供することにある。
【課題を解決するための手段】
【００２９】
このような目的を達成するために、本発明の第１の特徴によれば、移動通信システムにおける専用物理チャンネルの利得因子を設定する方法は、専用物理チャンネルを設定するためのチャンネル構成情報に従って、既存の専用チャンネル（ＤＣＨ）がマッピングされる専用物理データチャンネル（ＤＰＤＣＨ）が構成されるか否かを判断するステップと、上記ＤＰＤＣＨが構成される場合に、上記チャンネル構成情報を用いて、上記ＤＰＤＣＨに関連した専用物理制御チャンネル（ＤＰＣＣＨ）の送信電力を示す利得因子を決定するステップと、上記ＤＰＤＣＨが構成されない場合に、上記ＤＰＣＣＨの送信電力を示す利得因子を所定の定数に設定するステップと、上記ＤＰＣＣＨの利得因子を用いて、上記チャンネル構成情報によって指示された少なくとも１つの専用物理チャンネルの送信電力を示す利得因子を計算するステップとを具備することを特徴とする。
【００３０】
本発明の第２の特徴によれば、移動通信システムにおける専用物理チャンネルの利得因子を設定する装置は、専用物理チャンネルを設定するためのチャンネル構成情報を受信する受信部と、上記チャンネル構成情報に従って、既存の専用チャンネル（ＤＣＨ）がマッピングされる専用物理データチャンネル（ＤＰＤＣＨ）が構成されるか否かを判断し、上記ＤＰＤＣＨが構成される場合に、上記チャンネル構成情報を用いて、上記ＤＰＤＣＨに関連した専用物理制御チャンネル（ＤＰＣＣＨ）の送信電力を示す利得因子を決定し、上記ＤＰＤＣＨが構成されない場合に、上記ＤＰＣＣＨの送信電力を示す利得因子を所定の定数に設定し、上記ＤＰＣＣＨの利得因子を用いて、上記チャンネル構成情報によって指示された少なくとも１つの専用物理チャンネルの送信電力を示す利得因子を計算する送信制御部と、上記計算された利得因子に相当する送信電力で、上記少なくとも１つの専用物理チャンネルに関する該当情報を送信する送信部とを具備することを特徴とする。
【００３１】
本発明の第３の特徴によれば、移動通信システムにおける専用物理チャンネルの利得因子を設定する方法は、上りリンク専用物理チャンネルを構成するために、送信電力を設定する少なくとも１つの基準になる第１の専用物理チャンネルが構成されるか否かを判断するステップと、上記第１の専用物理チャンネルが構成される場合に、上記第１の専用物理チャンネルに対する変数を決定し、上記決定された変数に該当する利得因子を設定するステップと、上記第１の専用物理チャンネルが構成されない場合に、上記第１の専用物理チャンネルが送信されないことを示す変数を決定し、上記第１の専用物理チャンネルに対する利得因子を所定の定数に設定するステップと、上記第１の専用物理チャンネルではない少なくとも１つの第２の専用物理チャンネルに対する変数を設定するステップと、上記第１及び第２の専用物理チャンネルに対する変数を含むチャンネル構成情報を上記第１及び第２の専用物理チャンネルに関連した端末機及び基地局へ送信するステップとを具備することを特徴とする。
【発明の効果】
【００３２】
本発明の第１の実施形態は、Ｅ−ＤＣＨが独立Ｅ−ＤＣＨである場合に、ＲＮＣからＤＣＨの利得因子を受信しなくても、専用物理チャンネルの送信電力を正常に設定することができる。また、第２の実施形態の場合、ＵＥは、Ｅ−ＤＣＨが独立Ｅ−ＤＣＨであるかどうかに無関係に、同一の方式にて動作しつつ、ＲＮＣの設定のみを通じて独立Ｅ−ＤＣＨを支援する。
【発明を実施するための最良の形態】
【００３３】
以下、本発明の好適な一実施形態を添付図面を参照しつつ詳細に説明する。なお、下記の説明において、本発明の要旨のみを明瞭にする目的で、関連した公知の機能又は構成に関する具体的な説明は省略する。そして、下記に説明する用語は、本発明での機能を考慮して定義されたもので、これは、設計者の意図及び慣例などに従って変更されることができる。従って、その用語は、本明細書の全般にわたった内容に基づいて定義されることができる。
【００３４】
本発明の実施形態の主な特徴は、ＤＣＨが設定されるかどうかに基づいて、Ｅ−ＤＣＨに関連した逆方向物理チャンネルの送信電力を相互に異なる方式にて設定されることにある。具体的に、本発明は、上記Ｅ−ＤＣＨを使用するＷＣＤＭＡ通信システムにおいて、Ｅ−ＤＣＨを送信するための物理チャンネルであるＥ−ＤＰＤＣＨ及びＥ−ＤＰＣＣＨの送信電力を設定する。
【００３５】
図５は、本発明の第１実施形態によるＥ−ＤＣＨを支援するＵＥで上りリンク専用物理チャンネルの多重化を遂行する送信装置の構成を示すブロック図である。
【００３６】
図５を参照すると、ＲＲＣインターフェース部５６０は、ＲＲＣシグナリングを通じて、ＲＮＣから上りリンク専用チャンネルを設定するのに必要なチャンネル構成情報（channel configuration information）として、特に、上記上りリンク専用チャンネルに使用可能な送信フォーマット組合せ（Transport Format Combination；ＴＦＣ）及び上りリンク専用物理チャンネルのための利得因子を計算するのに必要な変数を受信し、上記ＴＦＣを送信制御部５６１へ提供する。送信制御部５６１は、上記ＴＦＣを参照して、上りリンク専用物理チャンネルであるＤＰＤＣＨ、ＤＰＣＣＨ、ＨＳ−ＤＰＣＣＨ、Ｅ−ＤＰＤＣＨ、及びＥ−ＤＰＣＣＨの各々のための適切なＴＦＣを選択し、上記選択された各ＴＦＣを該当物理チャンネル生成器５０１，５１１，５２１，５３１，５４１へ提供し、上記選択された各ＴＦＣに対応する利得因子５０５，５１５，５２５，５３５，５４５を利得調整器５０４，５１５，５２４，５３４，５４４の各々へ提供する。
【００３７】
ＤＰＤＣＨ生成器５０１から生成されたＤＰＤＣＨデータは、拡散器５０２内において拡散符号Ｃｄ５０３で拡散され、利得調整器５０４でＤＰＤＣＨ利得因子βｄ５０５と乗じられてマルチプレクサー（ＭＵＸ）５５０へ提供される。ＤＰＣＣＨ生成器５１１から生成されたＤＰＣＣＨデータは、拡散器５１２内において拡散符号Ｃｃ５１３で拡散され、利得調整器５１４でＤＰＣＣＨ利得因子βｃ５１５と乗じられてＭＵＸ５５０へ提供される。
【００３８】
また、ＨＳ−ＤＰＣＣＨ生成器５２１から生成されたＨＳ−ＤＰＣＣＨデータは、拡散器５２２内において拡散符号Ｃｈｓ５２３で拡散され、利得調整器５２４でＨＳ−ＤＰＣＣＨ利得因子βｈｓ５２５と乗じられ、ＭＵＸ５５０へ提供される。Ｅ−ＤＰＤＣＨ生成器５３１から生成されたＥ−ＤＰＤＣＨデータは、拡散器５３２内において拡散符号Ｃｅｄ５３３で拡散され、利得調整器５３４でＥ−ＤＰＤＣＨ利得因子βｅｄ５３５と乗じられてＭＵＸ５５０へ提供される。最後に、Ｅ−ＤＰＣＣＨ生成器５４１から生成されたＥ−ＤＰＣＣＨデータは、拡散器５４２内において拡散符号Ｃｅｃ５４３で拡散され、利得調整器５４４でＥ−ＤＰＣＣＨ利得因子βｅｃ５４５と乗じられてＭＵＸ５５０へ提供される。
【００３９】
直交拡散符号５０３,５１３，５２３，５３３，５４３によって、上記拡散された物理チャンネル信号は、直交性を有し、従って、ＭＵＸ５５０で多重化（合計）される。上記多重化された物理チャンネル信号は、スクランブラー５５１で、スクランブリングコードＳ５５２でスクランブリングされ、乱数性を有する拡散信号は、参照符号５５３で示されたように送信される。
【００４０】
物理チャンネルの利得因子５０５，５１５，５２５，５３５，５４５は、下記のように決定される。
【００４１】
まず、専用データチャンネル（ＤＣＨ）を設定すると同時に、ＲＮＣが各送信フォーマット組合せ（ＴＦＣ）に対して、ＤＰＤＣＨのための利得因子βｄ及びＤＰＣＣＨのための利得因子βｃを設定して、ＵＥ及び基地局へ提供する。ＵＥは、βｃに対するβｄの比率を用いて、ＤＰＤＣＨ及びＤＰＣＣＨの送信電力を設定する。
【００４２】
一方、ＨＳ−ＤＰＣＣＨ、Ｅ−ＤＰＤＣＨ、及びＥ−ＤＰＣＣＨの場合、ＲＮＣは、βｈｓ、βｅｄ 、βｅｃ自体をＵＥにシグナリングせず、βｃに対する相対的なオフセット値をシグナリングする。例えば、ＨＡＲＱ情報として、ＡＣＫあるいはＮＡＣＫが送信されるスロット及びチャンネル品質情報（Channel Quality Information；ＣＱＩ）が送信されるスロットで、ＨＳ−ＤＰＣＣＨに対してシグナリングされるオフセット値をΔＡＣＫ、ΔＮＡＣＫ、及びΔＣＱＩとすると、βｈｓは、上記シグナリングされたオフセット値を用いて、式（１）のように計算される。
【００４３】
【数１】
2006217630.tif 000003
【００４４】
ＡＣＫ／ＮＡＣＫが送信されるスロットにおいて、上記ΔＨＳ−ＤＰＣＣＨは、次の通りである。
【００４５】
ΔＨＳ−ＤＰＣＣＨ＝ΔＡＣＫ（ＨＡＲＱ情報がＡＣＫである場合）
ΔＨＳ−ＤＰＣＣＨ＝ΔＮＡＣＫ（ＨＡＲＱ情報がＮＡＣＫである場合）
ΔＨＳ−ＤＰＣＣＨ＝ΔＡＣＫとΔＮＡＣＫのうちで大きい値（ＨＡＲＱ情報がＰＲＥ又はＰＯＳＴである場合）
【００４６】
ここで、ＰＲＥ又はＰＯＳＴは、ＨＡＲＱ情報としてＡＣＫ／ＮＡＣＫ送信の開始又は終了を意味する。従って、ＣＱＩが送信されるスロットにおいて、上記ΔＨＳ−ＤＰＣＣＨは、次の通りである。
【００４７】
ΔＨＳ−ＤＰＣＣＨ＝ΔＣＱＩ
【００４８】
また、Ｅ−ＤＣＨの送信フォーマット（ＴＦ）に関連したオフセット値ΔＥ−ＤＰＤＣＨ及びΔＥ−ＤＰＣＣＨは、Ｅ−ＤＰＤＣＨ及びＥ−ＤＰＣＣＨの電力を設定するのに使用される。上記ΔＥ−ＤＰＤＣＨ及びΔＥ−ＤＰＣＣＨは、ＲＮＣのシグナリングを通じてＵＥへ伝達されることができ、又は、ＵＥで任意の基準及び既定義された式に従って得られることができる。βｅｄ及びβｅｃは、次のような式（２）によって計算されることができる。
【００４９】
【数２】
2006217630.tif 000004
【００５０】
従って、ＨＳ−ＤＰＣＣＨ、Ｅ−ＤＰＣＣＨ、及びＥ−ＤＰＤＣＨの送信電力を意味するβｈｓ、βｅｄ、及びβｅｃは、βｃが存在する場合にのみ、上記βｃに対する相対的な値に設定される。
【００５１】
しかしながら、独立Ｅ−ＤＣＨの場合には、ＤＣＨが設定されないので、ＤＣＨの送信フォーマット組合せ（ＴＦＣ）も設定されない。その結果、βｃ及びβｄは設定されず、上記βｃに従って、ＨＳ−ＤＰＣＣＨ、Ｅ−ＤＰＤＣＨ、及びＥ−ＤＰＣＣＨの送信電力を設定することができない。
【００５２】
従って、本発明の望ましい実施形態では、ＤＣＨが存在するか否かに基づいて、上記上りリンク専用物理チャンネルの送信電力を設定するのに必要な変数を設定する。すなわち、独立Ｅ−ＤＣＨの場合においては、上記βｃに従って、ＨＳ−ＤＰＣＣＨ、Ｅ−ＤＰＤＣＨ、及びＥ−ＤＰＣＣＨの送信電力を設定することが不可能であるので、独立Ｅ−ＤＣＨが使用される場合のβｃを任意の定数として取り扱う。下記では、Ｅ−ＤＣＨに関連したＥ−ＤＰＤＣＨ及びＥ−ＤＰＣＣＨの利得因子を決定するにおいて、必要なβｃを設定する実施形態を説明するが、下記の実施形態は、大きな変形なしにＨＳ−ＤＰＣＣＨのような他の上りリンク専用物理チャンネルの利得因子を設定するのにも適用されることができる。
【００５３】
第１実施形態
【００５４】
第１実施形態において、本発明は、Ｅ−ＤＣＨが設定された状態で、ＤＣＨが設定されるか否かに基づいて、すなわち、Ｅ−ＤＣＨが独立Ｅ−ＤＣＨであるか否かに基づいて、専用物理チャンネルの送信電力を設定する方式を相互に異なる方式にて提示する。ＤＣＨが存在する状況で、ＵＥは、ＲＮＣが設定するＤＣＨのＴＦＣに従ってβｃを設定する。ＤＣＨが存在しない独立Ｅ−ＤＣＨが使用される状況では、ＵＥは、βｃを１に、又は、特定の定数値に設定する。
【００５５】
図６は、本発明の第１実施形態によるＵＥでの送信電力設定動作を示すフローチャートである。
【００５６】
図６を参照すると、ステップ６０１で、ＵＥは、Ｅ−ＤＣＨ及び／又はＤＣＨを含む専用チャンネルを設定する。このとき、ＵＥは、ＲＮＣがシグナリングするチャンネル構成情報に従って専用チャンネルを設定すると同時に、上記チャンネル構成情報にＤＣＨ及びＤＰＤＣＨに関する構成情報の存在をチェックすることによって、ＤＣＨ及びＤＰＤＣＨが構成されるか否かを判定する。ステップ６０２で、ＵＥは、ＤＣＨが設定されるか否かを判断する。ＤＣＨが設定された場合、すなわち、独立Ｅ−ＤＣＨではない場合には、ＵＥは、ステップ６０３へ進行する。ＤＣＨが設定されない場合、すなわち、独立Ｅ−ＤＣＨである場合には、ＵＥは、ステップ６０５へ進行する。ここで、独立Ｅ−ＤＣＨは、ＤＣＨ及びＤＰＤＣＨが構成されないＥ−ＤＣＨを意味する。
【００５７】
ステップ６０３で、ＵＥは、ＤＣＨのＴＦＣを選択する。上記ＴＦＣは、βｃ及びβｄを含む。ステップ６０４で、ＵＥは、現在の送信時点（ＴＴＩ）で使用されるβｃ及びβｄを設定する。一方、独立Ｅ−ＤＣＨの場合に、ステップ６０５で、ＵＥは、ＤＣＨのためのＴＦＣの選択を遂行せず、βｃを任意の定数（例えば、‘１’）に設定する。
【００５８】
ステップ６０４又はステップ６０５が完了すると、ステップ６０６で、ＵＥは、Ｅ−ＤＣＨのＴＦを選択する。このとき、上記Ｅ−ＤＣＨのＴＦに基づいて、ΔＥ−ＤＰＤＣＨ及びΔＥ−ＤＰＣＣＨが決定される。すると、ステップ６０７で、ＵＥは、上記βｃ、上記ΔＥ−ＤＰＤＣＨ、及びΔＥ−ＤＰＣＣＨを上記式（２）に適用して、Ｅ−ＤＰＤＣＨ及びＥ−ＤＰＣＣＨの利得因子であるβｅｄ及びβｅｃを計算する。ＨＳＤＰＡが使用される場合に、ステップ６０７で、ＵＥは、上記βｃ及びΔＨＳ−ＤＰＤＣＨを使用して、ＨＳ−ＤＰＣＣＨのβｈｓを付加的に計算する。
【００５９】
ステップ６０７で、すべての専用物理チャンネルに対する利得因子を獲得した後に、ＵＥは、ステップ６０８で、上記利得因子値を用いて、各専用物理チャンネルの送信電力を設定した後に、ステップ６０９で、上記送信電力が設定された各専用物理チャンネルを多重化して上りリンク送信する。
【００６０】
第２実施形態
【００６１】
第２実施形態は、Ｅ−ＤＣＨが設定された状態で、上記Ｅ−ＤＣＨが独立Ｅ−ＤＣＨであるか否かに基づいて、ＤＣＨ設定を変更する方法を提示する。すなわち、独立Ｅ−ＤＣＨの場合において、ＲＮＣは、仮想ＤＣＨ及び仮想ＤＣＨに対する信号βｃを設定する。上記ＤＣＨがデータを伝達しないので、ＤＰＣＣＨ及びＤＰＤＣＨは、物理階層上に存在しない。
【００６２】
ＲＮＣは、チャンネル構成情報によって上りリンクＤＣＨに使用可能なＴＦＣセット（ＴＦＣＳ）をＵＥに通知する。ＵＥは、上記ＴＦＣＳに含まれた要素のうちの１つのＴＦＣを選択し、上記選択されたＴＦＣに従って処理されたデータを上りリンクＤＰＤＣＨを用いて送信する。上記選択されたＴＦＣは、上りリンクＤＰＣＣＨを介して基地局へ通知される。
【００６３】
独立Ｅ−ＤＣＨの場合には、ＤＣＨを介して送信されるデータが存在しないので、ＲＮＣは、仮想ＤＣＨのための１つのＴＦＣのみをＴＦＣＳに含ませる。上記１つのＴＦＣは、送信ブロックサイズ（Transport Block size）が０であり、ＣＲＣ（Cyclic Redundancy Check codes）が含まれないことを示し、ＤＰＤＣＨが実際に送信されないように設定される。また、チャンネル構成情報で、ＤＰＤＣＨの符号個数は、‘０’に設定し、拡散係数（Spreading Factor；ＳＦ）は、使用されないように設定される。ＴＦＣが１つのみ存在するので、ＴＦＣＩも使用されないように設定される。上記チャンネル構成情報は、上記仮想ＤＣＨに対するβｃを含む。
【００６４】
図７は、本発明の第２実施形態によるＲＮＣのチャンネル構成情報の設定動作を示すフローチャートである。
【００６５】
図７を参照すると、ステップ７０１で、ＲＮＣは、ＵＥのために、Ｅ−ＤＣＨ及び／又はＤＣＨを含む専用チャンネルを設定するか否かを決定し、ステップ７０２で、ＲＮＣは、ＵＥのために、上記Ｅ−ＤＣＨが独立Ｅ−ＤＣＨであるか否かを判断し、独立Ｅ−ＤＣＨではない場合には、ＲＮＣは、ステップ７０５へ進行し、独立Ｅ−ＤＣＨである場合には、ＲＮＣは、ステップ７０３へ進行する。上記独立Ｅ−ＤＣＨは、ＤＣＨ及びＤＰＤＣＨが構成されないＥ−ＤＣＨとして定義される。
【００６６】
ステップ７０２で、独立Ｅ−ＤＣＨではない場合には、ＤＣＨ設定は、既存と同一のステップを遂行する。すなわち、ステップ７０５で、ＲＮＣは、ＤＣＨに関連した変数及び送信フォーマット組合せセット（ＴＦＣＳ）を設定し、ステップ７０６で、上記ＴＦＣＳに含まれた各ＴＦＣに対して、利得因子値βｃ及びβｄを設定する。
【００６７】
一方、ステップ７０２で、独立Ｅ−ＤＣＨの場合において、仮想ＤＣＨが設定される。すなわち、ステップ７０３で、ＲＮＣは、仮想ＤＣＨのために、１つのＴＦＣをＤＣＨに関する送信チャンネル構成情報に設定し、ステップ７０４で、上記仮想ＤＣＨのためのβｃ及びβｄを設定する。上記１つのＴＦＣは、送信ブロック長さが‘０’であることを意味し、上記ＴＦＣに対して、βｃ及びβｄは、上記送信チャンネル構成情報に含まれる。ＤＰＤＣＨが使用されないので、βｄは、‘０’の値を有し、βｃは、任意の定数、例えば、‘１’に設定される。
【００６８】
ステップ７０４又はステップ７０６が完了すると、ステップ７０７で、ＲＮＣは、Ｅ−ＤＣＨに関連したＴＦを含む送信チャンネル構成情報を設定し、ステップ７０８で、上記ＵＥに専用物理チャンネルの設定に必要な物理チャンネル構成情報を設定する。ステップ７０８で、ＲＮＣは、ＤＣＨがマッピングされるＤＰＤＣＨの符号の個数を‘０’に設定し、拡散係数（ＳＦ）が使用されないように設定する。ステップ７０９で、ＲＮＣは、上記設定された送信チャンネル及び物理チャンネル構成情報は、ＵＥ及び基地局にシグナリングされる。
【００６９】
図８は、本発明の第２実施形態によるＵＥでの送信電力設定動作を示すフローチャートである。ここで、ＵＥは、Ｅ−ＤＣＨが独立Ｅ−ＤＣＨであるか否かに無関係に動作する。
【００７０】
図８を参照すると、ステップ８０１で、ＵＥは、ＲＮＣから専用チャンネルに関するチャンネル構成情報を受信し、ステップ８０２で、ＵＥは、上記チャンネル構成情報を参照してＤＣＨのＴＦＣを選択する。独立Ｅ−ＤＣＨの場合には、ＤＣＨに対して、上記チャンネル構成情報の内に１つのＴＦＣのみ存在する。従って、ＵＥは、上記ＤＣＨに対して１つのＴＦＣのみを選択する。ステップ８０３で、ＵＥは、上記選択されたＴＦＣに該当するβｃ及びβｄを獲得し、ステップ８０４に進行する。
【００７１】
ステップ８０４で、ＵＥは、Ｅ−ＤＣＨの使用可能なＴＦＣＳを参照してＥ−ＤＣＨのＴＦを選択し、上記選択されたＥ−ＤＣＨのＴＦに従って、ΔＥ−ＤＰＤＣＨ及びΔＥ−ＤＰＣＣＨを設定する。ステップ８０５で、ＵＥは、βｃ、ΔＥ−ＤＰＤＣＨ、及びΔＥ−ＤＰＣＣＨを式（２）に適用することによって、Ｅ−ＤＰＤＣＨ及びＥ−ＤＰＣＣＨの利得因子であるβｅｄ及びβｅｃを計算する。ＨＳＤＰＡが使用される場合に、ステップ８０５で、ＵＥは、上記βｃ及びΔＨＳ−ＤＰＤＣＨを使用して、ＨＳ−ＤＰＣＣＨに対するβｈｓを付加的に計算する。
【００７２】
ステップ８０５で、すべての専用物理チャンネルの利得因子値を獲得した後に、ＵＥは、ステップ８０６で、上記利得因子値を用いて、各専用物理チャンネルの送信電力を設定した後に、ステップ８０７で、上記送信電力が設定された各専用物理チャンネルを多重化して、上りリンク送信する。
【００７３】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００７４】
【図１】典型的なＵＭＴＳシステムにおける無線接続ネットワーク（ＵＴＲＡＮ）の構成を示す図である。
【図２】ＵＥとＲＮＣとの間の階層的インターフェースを示す図である。
【図３】典型的な無線リンクを介したＥ−ＤＣＨの送信を示す図である。
【図４】典型的なＥ−ＤＣＨを介したメッセージ送受信の信号フローを示す図である。
【図５】本発明の第１実施形態によるＥ−ＤＣＨを支援するＵＥで上りリンク専用物理チャンネルの多重化を遂行する送信装置の構成を示すブロック図である。
【図６】本発明の第１実施形態によるＵＥの動作手順を示すフローチャートである。
【図７】本発明の第２実施形態によるＲＮＣの動作手順を示すフローチャートである。
【図８】本発明の第２実施形態によるＵＥの動作手順を示すフローチャートである。
【符号の説明】
【００７５】
１０  基幹網
１２  ＵＴＲＡＮ
１４ａ，１４ｂ  無線網サブシステム（ＲＮＳ）
１６ａ，１６ｂ  無線網制御器（ＲＮＣ）
１８ａ，１８ｂ，１８ｃ，１８ｄ  基地局（Ｎｏｄｅ Ｂ）
２０  端末機（ＵＥ）
３０  制御プレーン（情報）
３２  ユーザプレーン（情報）
３４  ＲＲＣ階層
３６  ＰＤＣＰ階層
３８  ＢＭＣ階層
４０  ＲＬＣ階層
４２  ＭＡＣ階層
４４  物理（ＰＨＹ）階層
１００  基地局（Ｎｏｄｅ Ｂ）
１０１，１０２，１０３，１０４  ＵＥ
５６０  ＲＲＣインターフェース部
５６１  送信制御部
５０１，５１１，５２１，５３１，５４１  物理チャンネル生成器
５０５，５１５，５２５，５３５，５４５  利得因子
５０４，５１４，５１５，５２４，５３４，５４４  利得調整器
５０２，５１２，５２２，５３２，５４２  拡散器
５５０  マルチプレクサー（ＭＵＸ）
５５１  スクランブラー
【図１】
2006217630.tif 000009
【図２】
2006217630.tif 000010
【図４】
2006217630.tif 000011
【図５】
2006217630.tif 000012
【図６】
2006217630.tif 000013
【図７】
2006217630.tif 000014
【図８】
2006217630.tif 000015
【図３】
2006217630.tif 000016
【外国語明細書】
2006217630.tif 000017
2006217630.tif 000018
2006217630.tif 000019
2006217630.tif 000020
2006217630.tif 000021
2006217630.tif 000022
2006217630.tif 000023
2006217630.tif 000024
2006217630.tif 000025
2006217630.tif 000026
2006217630.tif 000027
2006217630.tif 000028
2006217630.tif 000029
2006217630.tif 000030
2006217630.tif 000031
2006217630.tif 000032
2006217630.tif 000033
2006217630.tif 000034
2006217630.tif 000035
2006217630.tif 000036
2006217630.tif 000037
2006217630.tif 000038
2006217630.tif 000039
2006217630.tif 000040
2006217630.tif 000041
2006217630.tif 000042
2006217630.tif 000043